(57)【特許請求の範囲】
【請求項１】
外筒と、
前記外筒に対し、前記外筒の軸方向に移動可能、かつ、前記外筒の軸回りに回転可能に、前記外筒の基端部に設置され、螺合部を有する医療器具が基端側に接続される接続部と、前記螺合部と螺合する凸部とを有し、少なくとも先端部が前記外筒内に挿入されたハブと、
前記外筒と前記ハブとの接合部に設けられ、前記ハブが第１の位置に位置しているとき、前記ハブの正方向および逆方向のいずれの回転も可能とし、前記ハブが前記第１の位置よりも先端側の第２の位置に位置しているとき、前記ハブの正方向および逆方向のうちの一方のみの回転を阻止する継脱機構とを備え、
前記ハブの前記凸部と前記医療器具の前記螺合部との螺合が締まる前記ハブの回転方向と、前記継脱機構により前記ハブの回転が阻止される方向とが一致していることを特徴とするコネクタ。
【請求項２】
前記ハブの前記外筒に対する軸方向の移動範囲を規制する移動範囲規制手段を備える請求項１に記載のコネクタ。
【請求項３】
前記ハブは、外周部にフランジを有し、
前記継脱機構は、前記フランジと前記外筒の内周部との一方に設けられた爪と、他方に設けられたラチェット歯とを有する請求項１に記載のコネクタ。
【請求項４】
前記ハブを基端方向に付勢する付勢手段を有し、
前記ハブは、前記付勢手段の付勢力により前記第１の位置に位置しており、前記付勢手段の付勢力に抗して、前記ハブを前記第１の位置から先端方向に移動させて前記第２の位置に位置させると、前記継脱機構により、前記ハブの正方向および逆方向のうちの一方のみの回転が阻止されるよう構成されている請求項１に記載のコネクタ。
【請求項５】
請求項１に記載のコネクタと、
前記コネクタと接続され、先端側に液体を収納可能な液体収納容器が接続される接続部を有する相手コネクタとを備えることを特徴とするコネクタ組立体。
【発明の詳細な説明】
【技術分野】
【０００１】
本発明は、コネクタおよびコネクタ組立体に関する。
【背景技術】
【０００２】
通常、抗がん剤、免疫抑制剤等、医療従事者が誤って触れると危険な薬剤は、ゴム栓で口部が封止されたバイアル容器内に粉末の状態で収納されている。【０００３】
このようなバイアル容器から薬剤を取り出す場合には、次のような操作を行う。
まず、バイアル容器の口部と、溶解用液を取り分けたシリンジの口部とを第１のコネクタおよび第２のコネクタで構成されたコネクタ組立体を介して接続する。この場合、シリンジの口部の外周部には、内周面にネジ山が形成されたロックアダプタが設けられており（例えば、特許文献１参照）、第１のコネクタのハブにシリンジを接続する際は、第１のコネクタのハブに形成された螺合部に、シリンジのロックアダプタを螺合させる。これにより、第１のコネクタのハブとシリンジの口部とが接続され、その第１のコネクタのハブにシリンジが保持される。そして、第１のコネクタと、バイアル容器の口部に接続された第２のコネクタとを接続する。【０００４】
次に、コネクタ組立体を介してシリンジからバイアル容器に溶解用液を注入する。そして、ポンピング操作を行ったり、バイアル容器を振盪することにより、溶解用液に薬剤を均一に溶解する。次に、薬剤が溶解された溶解用液（以下、「液剤」と言う。）をシリンジ内に吸引して取り出す。【０００５】
しかしながら、前記従来のコネクタ組立体では、シリンジは、第１のコネクタのハブに対し、ロックアダプタにより保持されているので、そのシリンジを引っ張っても離脱しないが、シリンジやロックアダプタを螺合が緩む方向に回転させると、簡単に離脱してしまうという欠点がある。シリンジが第１のコネクタのハブから離脱すると、シリンジの口部等から液剤が飛散し、その液剤が医療従事者等に付着したりし、当該コネクタ組立体を介して液剤を安全かつ確実に移送することができない虞がある。【０００６】
【特許文献１】特許第３４５６２４１号公報
【発明の開示】
【０００７】
本発明の目的は、医療器具の不本意な離脱を防止することができるコネクタおよびコネクタ組立体を提供することにある。
【０００８】
上記目的を達成するために、本発明は、外筒と、
前記外筒に対し、前記外筒の軸方向に移動可能、かつ、前記外筒の軸回りに回転可能に、前記外筒の基端部に設置され、螺合部を有する医療器具が基端側に接続される接続部と、前記螺合部と螺合する凸部とを有し、少なくとも先端部が前記外筒内に挿入されたハブと、
前記外筒と前記ハブとの接合部に設けられ、前記ハブが第１の位置に位置しているとき、前記ハブの正方向および逆方向のいずれの回転も可能とし、前記ハブが前記第１の位置よりも先端側の第２の位置に位置しているとき、前記ハブの正方向および逆方向のうちの一方のみの回転を阻止する継脱機構とを備え、
前記ハブの前記凸部と前記医療器具の前記螺合部との螺合が締まる前記ハブの回転方向と、前記継脱機構により前記ハブの回転が阻止される方向とが一致していることを特徴とするコネクタ。
【０００９】
本発明のコネクタでは、前記ハブの前記外筒に対する軸方向の移動範囲を規制する移動範囲規制手段を備えることが好ましい。
【００１０】
本発明のコネクタでは、前記ハブは、外周部にフランジを有し、
前記継脱機構は、前記フランジと前記外筒の内周部との一方に設けられた爪と、他方に設けられたラチェット歯とを有することが好ましい。
【００１１】
本発明のコネクタでは、前記ハブを基端方向に付勢する付勢手段を有し、
前記ハブは、前記付勢手段の付勢力により前記第１の位置に位置しており、前記付勢手段の付勢力に抗して、前記ハブを前記第１の位置から先端方向に移動させて前記第２の位置に位置させると、前記継脱機構により、前記ハブの正方向および逆方向のうちの一方のみの回転が阻止されるよう構成されていることが好ましい。
【００１２】
また、上記目的を達成するために、本発明は、本発明のコネクタと、
前記コネクタと接続され、先端側に液体を収納可能な液体収納容器が接続される接続部を有する相手コネクタとを備えることを特徴とするコネクタ組立体である。
【００１３】
本発明のコネクタでは、前記爪および前記ラチェット歯は、それぞれ、周方向に沿って複数設けられていることが好ましい。
【００１４】
本発明のコネクタでは、前記凸部は、ネジ山またはフランジ状の突起であることが好ましい。
【００１５】
本発明のコネクタでは、前記外筒内に前記接続部と連通するように設けられ、先端部に開口する開口部を有する中空針と、
前記外筒に対し、前記外筒の軸方向に移動可能に設置され、前記中空針で刺通可能な刺通部を有し、前記外筒の内腔部を封止する弾性材料で構成された封止部材と、
前記刺通部を先端方向に付勢する穿通部付勢手段とを備え、
前記付勢手段は、前記穿通部付勢手段を兼ねるものであることが好ましい。
【００１６】
本発明のコネクタでは、前記付勢手段は、前記中空針の回りに配置されたコイルバネであることが好ましい。
【００１７】
本発明のコネクタでは、前記医療器具は、先端部に口部を有するシリンジを備え、
前記コネクタは、前記接続部に、前記シリンジの前記口部が接続されるものであることが好ましい。
【００１８】
本発明のコネクタでは、前記シリンジの前記口部の外周部に、前記螺合部を内周面に有するロックアダプタが設けられており、
前記凸部と前記螺合部とを螺合すると、前記ハブの前記外筒の基端から突出している部位が、前記ロックアダプタ内に収納されるよう構成されていることが好ましい。
【図面の簡単な説明】
【００１９】
【図１】図１は、本発明のコネクタ組立体の実施形態を示す分解斜視図である。
【図２】図２は、図１に示すコネクタ組立体における第１のコネクタと第２のコネクタとを組立状態とするまでの過程を示す縦断面図（一部側面図）である。
【図３】図３は、図１に示すコネクタ組立体における第１のコネクタと第２のコネクタとを組立状態とするまでの過程を示す縦断面図である。
【図４】図４は、図１に示すコネクタ組立体における第１のコネクタと第２のコネクタとを組立状態とするまでの過程を示す縦断面図である。
【図５】図５は、図１に示すコネクタ組立体における第１のコネクタと第２のコネクタとを組立状態とするまでの過程を示す縦断面図である。
【図６】図６は、図１に示すコネクタ組立体における第１のコネクタと第２のコネクタとを組立状態とするまでの過程を示す斜視図（図２に対応する図）である。
【図７】図７は、図１に示すコネクタ組立体における第１のコネクタと第２のコネクタとを組立状態とするまでの過程を示す斜視図（図３に対応する図）である。
【図８】図８は、図１に示すコネクタ組立体における第１のコネクタと第２のコネクタとを組立状態とするまでの過程を示す斜視図（図４に対応する図）である。
【図９】図９は、図１に示すコネクタ組立体における第１のコネクタと第２のコネクタとを組立状態とするまでの過程を示す斜視図（図５に対応する図）である。
【図１０】図１０は、図３中のＡ−Ａ線断面図である。
【図１１】図１１は、図４中のＢ−Ｂ線断面図である。
【図１２】図１２は、図２に示すコネクタ組立体の第１のコネクタの基端部付近を示す縦断面図（一部側面図）である。
【図１３】図１３は、図２に示すコネクタ組立体の第１のコネクタの基端部付近を示す縦断面図（一部側面図）である。
【図１４】図１４は、図１に示すコネクタ組立体における第１のコネクタの外筒を示す斜視図である。
【図１５】図１５は、図１に示すコネクタ組立体における第１のコネクタのハブを示す斜視図である。
【図１６】図１６は、図１に示すコネクタ組立体の第１のコネクタに接続されるシリンジを示す部分縦断面図である。
【図１７】図１７は、図１に示すコネクタ組立体の第２のコネクタに接続されるバッグの縦断面図である。
【発明を実施するための形態】
【００２０】
以下、本発明のコネクタおよびコネクタ組立体を添付図面に示す好適な実施形態に基づいて詳細に説明する。
【００２１】
図１は、本発明のコネクタ組立体の実施形態を示す分解斜視図、図２〜図５は、それぞれ、図１に示すコネクタ組立体における第１のコネクタと第２のコネクタとを組立状態とするまでの過程を示す縦断面図、図６〜図９は、図１に示すコネクタ組立体における第１のコネクタと第２のコネクタとを組立状態とするまでの過程を示す斜視図（図２〜図５にそれぞれ対応する図）、図１０は、図３中のＡ−Ａ線断面図、図１１は、図４中のＢ−Ｂ線断面図、図１２および図１３は、図２に示すコネクタ組立体の第１のコネクタの基端部付近を示す縦断面図（一部側面図）、図１４は、図１に示すコネクタ組立体における第１のコネクタの外筒を示す斜視図、図１５は、図１に示すコネクタ組立体における第１のコネクタのハブを示す斜視図、図１６は、図１に示すコネクタ組立体の第１のコネクタに接続されるシリンジを示す部分縦断面図、図１７は、図１に示すコネクタ組立体の第２のコネクタに接続されるバッグの縦断面図である。なお、以下では、説明の都合上、図１〜図１７中の上側を「先端」、「上」または「上方」、下側を「基端」、「下」または「下方」と言う。
【００２２】
図１〜図１５に示すように、コネクタ組立体１は、第１のコネクタ（メスコネクタ）２と第２のコネクタ（オスコネクタ）３とを有するものである。図１６に示すように、第１のコネクタ２は、シリンジ（第１の医療器具）２０に装着されている。図１７に示すように、第２のコネクタ３は、バッグ（第２の医療器具）５０に装着されている。このコネクタ組立体１は、第１のコネクタ２にその先端側から第２のコネクタ３を挿入して、これらのコネクタ同士を組み立てた組立状態（図５、図９に示す状態）で、第１のコネクタ２側から第２のコネクタ３側へまたはその反対方向へ、液体を移送するのに用いられる。
【００２３】
図１７に示すように、バッグ５０は、粉末状の薬剤Ｑを収納するものである。このバッグ５０の基端部には、硬質管で構成された口部５０３が設けられている。この口部５０３を介して、液体が出入りすることができる。
【００２４】
また、口部５０３には、当該口部５０３を封止するゴム栓５０５が装着されている。ゴム栓５０５は、第２のコネクタ３の瓶針部１０３で刺通される。この刺通した状態で、第２のコネクタ３とバッグ５０とが連通する。
【００２５】
バッグ５０に収納される薬剤Ｑとしては、特に限定されないが、例えば、抗がん剤、免疫抑制剤等、医療従事者が誤って触れると危険な薬剤や、抗生剤、止血剤等の使用にあたって溶解が必要な薬剤、小児用の薬剤等の希釈が必要な薬剤、ワクチン、ヘパリン、小児用の薬剤等の複数回取り分ける薬剤等が挙げられる。また、この薬剤Ｑは、粉末状のものに限定されず、例えば、液体状のものであってもよい。
【００２６】
また、図１６に示すように、シリンジ２０の先端部に設けられた口部２０２の外周部には、ロックアダプタ２０３が設けられている。ロックアダプタ２０３は、その内周面に、ハブ部１２２の突起１２３と螺合する螺合部であるネジ山を有している。本実施形態では、このロックアダプタ２０３は、口部２０２に固定されている。
【００２７】
第１のコネクタ２のハブ１２のハブ部１２２にシリンジ２０を接続する際は、第１のコネクタ２の後述するハブ１２のハブ部１２２の基端部にシリンジ２０の口部２０２を挿入し、シリンジ２０とともにロックアダプタ２０３を回転させ、ハブ部１２２に形成された突起１２３に、ロックアダプタ２０３の内周面に形成されたネジ山を螺合させる。以下、突起１２３とロックアダプタ２０３のネジ山との螺合を単に「突起１２３とロックアダプタ２０３との螺合」とも言う。これにより、ハブ１２のハブ部１２２とシリンジ２０の口部２０２とが接続され、突起１２３とロックアダプタ２０３とが螺合することにより、ハブ１２にシリンジ２０が保持される。なお、この状態では、ハブ１２の外筒４の基端から突出している部位、すなわち、ハブ部１２２は、ロックアダプタ２０３内に収納される。
【００２８】
なお、本実施形態では、ロックアダプタ２０３は、口部２０２に固定されているが、これに限らず、例えば、ロックアダプタ２０３が、口部２０２に対し、シリンジ２０の軸方向に沿って移動可能に設置されているもの、軸回りに（同心的に）回転可能なもの、軸方向に沿って移動可能で、かつ軸回りに回転可能なもの等であってもよい。
【００２９】
次に、コネクタ組立体１について説明する。前述したように、コネクタ組立体１は、第１のコネクタ２と第２のコネクタ３とを有している。
【００３０】
図２〜図５、図１２〜図１５に示すように、第１のコネクタ２は、円筒状をなす外筒４と、円筒状をなす内筒７と、ハブ１２とで構成された第１のコネクタ本体と、ハブ１２に支持された中空針５と、内筒７に支持された第１の封止部材６と、ハブ１２を基端方向に向かって付勢する付勢手段および第１の封止部材６を先端方向に向かって付勢する穿通部付勢手段としてのコイルバネ８と、外筒４に設置された挟圧部材９とを有している。なお、コイルバネ８は、兼用されているので、部品点数を削減することができ、また、構造を簡素化することができる。
【００３１】
図１、図２、図１２〜図１４に示すように、外筒４は、筒状をなしている。この外筒４の先端開口から第２のコネクタ３が挿入され、第１のコネクタ２と第２のコネクタ３とが接続される。
【００３２】
外筒４の基端部の内周部には、基端方向に向って突出する複数（図示の構成では８つ）のラチェット歯４１が形成されている。各ラチェット歯４１は、周方向に沿って、等角度間隔に配置されている。また、各ラチェット歯４１は、それぞれ、周方向に沿って延在している。
【００３３】
また、外筒４の内周部のラチェット歯４１の先端側には、段差部４２２が形成されている。また、外筒４の基端の内周部には、環状のリブ４２１が形成されている。
【００３４】
図１、図２、図１２、図１３に示すように、ハブ１２は、外筒４に対し、外筒４の軸方向に移動可能で、かつ、外筒４の軸回りに回転可能に、外筒４の基端部に設置されている。
【００３５】
図１、図２、図１２、図１３、図１５に示すように、ハブ１２は、有底筒状をなす本体部１２１と、その本体部１２１の底部１２８の中央部から基端方向に突出した筒状をなすハブ部（第１の接続部）１２２とを有している。本体部１２１とハブ部１２２とは、同心的に配置されている。ハブ１２の少なくとも先端部、すなわち、本体部１２１は、外筒４内に挿入されている。
【００３６】
ハブ部１２２の基端の外周部には、フランジ状の突起（凸部）１２３が形成されている。突起１２３の形状は、ハブ部１２２の軸方向から見たとき、非円形であり、直交する２方向のうちの一方が他方よりも長くなるような形状をなしている。この突起１２３は、後述するシリンジ２０のロックアダプタ２０３に形成されているネジ山と螺合する部位である。なお、突起１２３は、ロックアダプタ２０３に形成されているネジ山と螺合し得るものであれば、前記突起１２３に限らず、例えば、ネジ山等であってもよい。
【００３７】
本体部１２１の底部１２８の中央部には、筒状をなす支柱１２７が先端方向に突出するように形成されている。本体部１２１と支柱１２７とは、同心的に配置されている。
【００３８】
中空針５は、支柱１２７内に挿入され、その中空針５の基端部は、底部１２８に固定されている。すなわち、中空針５は、ハブ１２により支持されている。また、底部１２８には、中空針５の内腔（第１の流路５２）に対応する位置に、開口（図示せず）が形成されており、これにより、ハブ部１２２と中空針５とが連通する。
【００３９】
また、前述したように、ハブ部１２２の突起１２３とシリンジ２０のロックアダプタ２０３とを螺合することで、シリンジ２０に第１のコネクタ２が装着され、この装着状態で第１のコネクタ２を用いることができる（図１６参照）。また、装着状態では、ハブ部１２２を介して、シリンジ２０の空間２００と、中空針５の内腔（第１の流路５２）とが連通する。これにより、シリンジ２０から中空針５内に溶解用液Ｐを供給することができる。
【００４０】
また、本体部１２１の外周部には、１対のフランジ１２４、１２５が、互いに軸方向に所定距離離間して形成されている。フランジ１２４は、本体部１２１の基端に配置され、フランジ１２５は、フランジ１２４の先端側に配置されている。また、フランジ１２４の基端側の面とフランジ１２５の先端側の面との間の軸方向の距離は、前記外筒４のリブ４２１と段差部４２２との間の軸方向の距離よりも短く設定されている。
【００４１】
また、フランジ１２４は、外筒４のリブ４２１の先端側に位置し、フランジ１２５は、外筒４の段差部４２２の基端側に位置している。これにより、ハブ１２の外筒４に対する軸方向の移動範囲が規制される。すなわち、ハブ１２は、フランジ１２４が外筒４のリブ４２１に当接した位置（図１２に示す第１の位置）と、フランジ１２５が外筒４の段差部４２２に当接した位置（図１３に示す第２の位置）とに移動することができる。したがって、フランジ１２４および１２５により、ハブ１２の外筒４に対する軸方向の移動範囲を規制する移動範囲規制手段が構成される。なお、第２の位置は、第１の位置よりも先端側に位置する。
【００４２】
また、フランジ１２４の先端側の面には、先端方向に向って突出する複数（図示の構成では４つ）の爪１２６が形成されている。各爪１２６は、周方向に沿って、等角度間隔で、前記外筒４のラチェット歯４１に対応する位置に配置されている。この各爪１２６と前記外筒４の各ラチェット歯４１とで、外筒４とハブ１２との接合部に設けられた継脱機構１３が構成される。
【００４３】
ハブ１２が図１２に示す第１の位置に位置しているときは、ハブ１２の爪１２６は、外筒４のラチェット歯４１よりも基端側に位置し、これにより、ハブ１２の正方向および逆方向のいずれの回転も可能となる。
【００４４】
一方、ハブ１２が図１３に示す第２の位置に位置しているときは、ハブ１２の爪１２６は、外筒４のラチェット歯４１に係合し得る位置に位置し、これにより、ハブ１２の正方向および逆方向のうちの一方のみの回転が阻止される。この場合、ハブ１２の突起１２３とシリンジ２０のロックアダプタ２０３との螺合が締まるハブ１２の回転方向と、継脱機構１３によりハブ１２の回転が阻止される方向とが一致している。なお、以下では、前記ハブ１２の突起１２３とシリンジ２０のロックアダプタ２０３との螺合が締まるハブ１２の回転方向を、単に「螺合が締まる方向」とも言う。
【００４５】
これにより、ハブ１２を第２の位置に位置させることにより、ハブ１２の螺合が締まる方向の回転が阻止され、ハブ部１２２の基端部にシリンジ２０の口部２０２を挿入し、シリンジ２０とともにロックアダプタ２０３を回転させると、ハブ部１２２の突起１２３にロックアダプタ２０３が螺合し、ハブ部１２２にシリンジ２０が装着される。
【００４６】
ハブ部１２２にシリンジ２０が装着された後は、ハブ１２を第１の位置と第２の位置とのいずれに位置させても、ハブ部１２２からシリンジ２０を取り外すことはできない。すなわち、ハブ１２が第１の位置に位置しているときは、ハブ１２の正方向および逆方向のいずれの回転も可能となるので、ハブ部１２２の突起１２３とロックアダプタ２０３との螺合を緩めることはできない。また、ハブ１２が第２の位置に位置しているときは、ハブ１２の螺合が締まる方向の回転のみが阻止されるので、同様に、ハブ部１２２の突起１２３とロックアダプタ２０３との螺合を緩めることはできない。
【００４７】
また、図６〜図９に示すように、外筒４の壁部の途中には、当該壁部を貫通する溝部４８が形成されている。この溝部４８は、側面視で「Ｌ」字状をなし、外筒４の壁部の周方向に沿って形成された横溝４８１と、横溝４８１の一端から外筒４の軸方向に沿って基端方向へ形成された縦溝４８２とで構成されている。溝部４８には、内筒７の突部７６が挿入される。そして、内筒７の突部７６は、溝部４８内を移動することができる。
【００４８】
図２〜図５に示すように、外筒４の壁部の先端部には、その中心軸を介して対向して形成された一対の溝部４３が形成されている。この溝部４３に、リング状をなす２つの挟圧部材９が重なった状態で挿入されている。挟圧部材９は、外筒４の中で第２のコネクタ３（第２のコネクタ本体１０）の先端方向への移動を規制するストッパ１７の一部として機能するものである。このストッパ１７の構成としては、公知の構成（例えば特開平８−１２６６３０号公報に記載の「ハブ着脱機構」の構成）を用いることができる。
【００４９】
この場合、各挟圧部材９は、それぞれ、その外周部の一部に当該挟圧部材９を押圧操作する操作部９２を有する。この操作部９２を押圧することにより、挟圧部材９が外筒４の軸に対し直交する方向に移動する。
【００５０】
また、各挟圧部材９は、それぞれ、操作部９２と反対側の部分に、内側に突出した複数の突部（第１の係合部）９１を有している。そして、一方の挟圧部材９の突部９１と、他方の挟圧部材９の突部９１とは、外筒４の中心軸を介して対向して配置される。
【００５１】
さらに、各挟圧部材９は、それぞれ、突部９１と同じ側に、外周部から突出した一対の弾性片９３を有している。一方の挟圧部材９の各弾性片９３は、他方の挟圧部材９の操作部９２の内側に当接し、これと同様に、他方の挟圧部材９の各弾性片９３は、一方の挟圧部材９の操作部９２の内側に当接している。
【００５２】
各挟圧部材９を押圧操作する際には、弾性片９３の付勢力（弾性力）に抗して、その押圧操作を行なうこととなる。この操作により、一方の挟圧部材９の突部９１と、他方の挟圧部材９の突部９１とが互いに離間した状態となる。そして、各挟圧部材９に対する押圧力を解除すると、弾性片９３の付勢力により、一方の挟圧部材９の突部９１と、他方の挟圧部材９の突部９１とが接近した状態となる。
【００５３】
一方の挟圧部材９の突部９１と、他方の挟圧部材９の突部９１とが接近した状態では、各突部９１が一括して第２のコネクタ３の係合部（第２の係合部）１０５ａまたは１０５ｂに係合する（図３〜図５参照）。これにより、外筒４から第２のコネクタ３が不本意に離脱するのを確実に防止することができる。
【００５４】
また、一方の挟圧部材９の突部９１と、他方の挟圧部材９の突部９１とが互いに離間した状態では、各挟圧部材９と第２のコネクタ３との係合が解除される。
【００５５】
図１に示すように、第２のコネクタ３の係合部１０５ａおよび１０５ｂは、それぞれ、第２のコネクタ本体１０の外周部に形成され、その外径が拡径したフランジ部で構成されている。係合部１０５ａおよび１０５ｂは、それぞれ、第２のコネクタ本体１０の軸方向に沿って離間して配置されている。そして、図３、図５に示すように、第２のコネクタ３の第１のコネクタに対する挿入深さに応じて、係合部１０５ａおよび１０５ｂのうちの一方が、前述したように各突部９１と係合する。
【００５６】
コネクタ組立体１では、挟圧部材９と第２のコネクタ３の係合部１０５ａおよび１０５ｂとが、外筒４と第２のコネクタ３とをロックする「ストッパ１７」を構成する。
【００５７】
図２、図６に示すように、外筒４の壁部には、その内周部４７の溝部４８と溝部４３との間の部分に、内側に向かって突出した段差部４９が複数（本実施形態では４つ）形成されている。図２に示すように、各段差部４９に内筒７が当接することにより、当該内筒７の先端方向への移動を規制することができ、よって、内筒７が外筒４から離脱するのを確実に防止することができる。
【００５８】
図２（図３〜図５についても同様）に示すように、外筒４の内側には、内筒７が配置されている。この内筒７は、外筒４に対し変位可能、すなわち、外筒４の軸回りに回動可能であるとともに、外筒４の軸方向に沿って移動可能なものである。
【００５９】
内筒７は、第１の封止部材６が設置される封止部材設置部７３を有している。封止部材設置部７３は、内筒７の内側に設けられ、第１の封止部材６を上下方向から挟持する円環状の一対の板状部７３１、７３２で構成されている。
【００６０】
また、内筒７は、当該内筒７が変位する際に中空針５を摺動する摺動部材７４と、摺動部材７４を固定する固定部７５とを有している。摺動部材７４は、筒状をなし、その内径が縮径した縮径部７４１を有する弾性材料で構成された部材である。摺動部材７４の構成材料としては、特に限定されないが、例えば、天然ゴム、ブチルゴム、イソプレンゴム、ブタジエンゴム、スチレン−ブタジエンゴム、シリコーンゴムのような各種ゴム材料や、ポリウレタン系、ポリエステル系、ポリアミド系、オレフィン系、スチレン系等の各種熱可塑性エラストマー、あるいはそれらの混合物等の弾性材料が挙げられる。内筒７が変位する際には、縮径部７４１が中空針５の外周部５４に当接して摺動する。固定部７５は、板状部７３２から一体的に下方に向かって突出形成された筒状をなす部分である。
【００６１】
図６（図７〜図９についても同様）に示すうように、内筒７の壁部には、その外周部に突部７６が突出形成されている。この突部７６は、外筒４の溝部４８に挿入され、内筒７の変位に伴って溝部４８内を移動する。これにより、第１のコネクタ２は、突部７６が横溝４８１に位置した第１の状態（図６、図７に示す状態）と、第１の状態から内筒７を外筒４に対し回転操作することにより突部７６が横溝４８１と縦溝４８２との交差部４８３に位置する第２の状態（図８に示す状態）と、第２の状態から内筒７を外筒４に対し押し込み操作することにより突部７６が縦溝４８２に位置する第３の状態（図９に示す状態）とを取り得る。
【００６２】
図６（図２）に示す第１の状態の第１のコネクタ２に第２のコネクタ３を挿入する（以下この操作を「挿入操作」と言う）と、第２のコネクタ３の第２の封止部材１１が第１のコネクタ２の第１の封止部材６に当接して、当該第１の封止部材６を基端方向に押圧し、内筒７ごと移動させようとするが、内筒７の突部７６が外筒４の横溝４８１に位置しているため、内筒７の基端方向への移動が規制される（図３、図７参照）。
【００６３】
図７に示す状態から例えば内筒７の突部７６に指を掛けて、図８に示すように、内筒７を矢印方向に回転操作すると、第１のコネクタ２は、図８に示す第２の状態となる。これにより、内筒７の基端方向への移動の規制が解除されて、その移動が可能となり、よって、挿入操作を再開することができる。なお、図４に示すように、第２の状態でも第１の封止部材６と第２の封止部材１１との密着状態が維持されている。また、第２の状態では、内筒７と第２のコネクタ３（第２のコネクタ本体１０）とがロック手段１９により固定されている。これにより、第１の封止部材６の第１の刺通部６１と第２の封止部材１１の第２の刺通部１１１との密着状態が固定される。このロック手段１９については、後述する。
【００６４】
図８に示す状態から第２のコネクタ３をコイルバネ８の付勢力に抗して基端方向に押し込むと、挿入操作が再開され、第１のコネクタ２は、図９に示す第３の状態となる。なお、図５に示すように、第３の状態でも第１の封止部材６と第２の封止部材１１との密着状態が維持されている。
【００６５】
図９に示す状態（組立状態）で第１のコネクタ２から第２のコネクタ３を抜去する（以下この操作を「抜去操作」と言う）際には、前記とは逆に、コイルバネ８の付勢力に従って、第２のコネクタ３とともに内筒７が先端方向へ移動し、第１のコネクタ２は、図８に示す第２の状態となる。この第２の状態では、内筒７の突部７６のそれ以上の先端方向への移動が規制される。これにより、抜去操作を途中で一旦規制することができる。
【００６６】
さらに、第２の状態から内筒７を前記と反対方向に回転操作すると、第１のコネクタ２は、図７に示す第１の状態となる。これにより、ロック手段１９による内筒７と第２のコネクタ３とのロック状態が解除されて、第２のコネクタ３のみの先端方向への移動が可能となり、よって、抜去操作を再開することができる。この抜去操作を再開すると、第１のコネクタ２と第２のコネクタ３とは、再度、図６に示す分解状態となる。
【００６７】
このようにコネクタ組立体１では、内筒７の突部７６の外筒４の溝部４８における位置に応じて、挿入操作の規制と、挿入操作の規制の解除と、抜去操作の規制と、抜去操作の規制の解除とが行われる。従って、内筒７の突部７６と外筒４の溝部４８とは、これらの操作を規制する「操作規制手段１８」を構成する。
【００６８】
図２に示すように、内筒７の先端部には、複数（本実施形態では４枚）の係合片（弾性片）７７が先端方向に向かって突出形成されている。各係合片７７は、それぞれ、その先端部に第２のコネクタ３の凹部（係合部）１０１ａに係合可能な爪７７１を有している。
【００６９】
なお、凹部１０１ａは、第２のコネクタ本体１０の外周部１０１の先端部に、その周方向に沿ってリング状に形成された部分である。
【００７０】
各係合片７７は、第１のコネクタ２に第２のコネクタ３が未だ挿入されていない状態では、外方に向かって傾斜している。これにより、第１のコネクタ２に第２のコネクタ３を挿入した状態で、各係合片７７は、それぞれ、第２のコネクタ３の凹部１０１ａから離間した状態（図３、図１０に示す状態）と、外筒４の押圧部４７１に押圧されて凹部１０１ａに接近して係合する状態（図４、図５、図１１に示す状態）とを取り得る。そして、この係合により、内筒７と第２のコネクタ３とが確実にロックされる。
【００７１】
なお、押圧部４７１は、外筒４の内周部４７にその軸方向に沿って複数（本実施形態では４つ）形成されたリブで構成されている。
【００７２】
また、これらの押圧部４７１は、外筒４の周方向に沿って等間隔に配置されている。図１０に示す状態では、隣接する押圧部４７１同士の間に１枚の係合片７７が位置し、係合片７７に対する押圧部４７１の押圧が未だなされていない。このとき、第１のコネクタ２は、前記第１の状態となっている。
【００７３】
各係合片７７は、内筒７の軸回りに等間隔に配置されている。図１０に示す状態から前述したように内筒７を回転操作することにより、係合片７７がそれぞれ押圧部４７１の傾斜面４７２を登り、結果、１つの押圧部４７１が１枚の係合片７７をその弾性力に抗して押圧することとなる。これにより、４枚の係合片７７が第２のコネクタ３の周方向に沿って均一に係合し、よって、内筒７と第２のコネクタ３とがより確実にロックされる。このとき、第１のコネクタ２は、前記第２の状態となっている。この押圧部４７１が係合片７７を押圧した状態は、第１のコネクタ２が前記第３の状態になっても維持される。
【００７４】
このようにコネクタ組立体１では、内筒７の係合片７７、外筒４の押圧部４７１、第２のコネクタ３の凹部１０１ａは、内筒７と第２のコネクタ３とを確実にロックする「ロック手段１９」を構成する。そして、このロック手段１９は、第１のコネクタ２が第１の状態から第２の状態となったときに作動する、すなわち、挿入操作の規制を解除する解除操作に連動して作動する。また、この反対に、ロック手段１９は、第１のコネクタ２が第２の状態から第１の状態となったときも作動する、すなわち、抜去操作の規制を解除する解除操作に連動しても作動する。これにより、第１のコネクタ２が第１の状態と第２の状態との間を相互変位する間、すなわち、中空針５が第１の封止部材６および第２の封止部材１１を刺通する前後において、第１の封止部材６と第２の封止部材１１とを確実に密着させることができ、かつ、抜去時に第２のコネクタ３のみが不意に抜去される（脱落する）のを防止することができる。
【００７５】
なお、外筒４、内筒７、挟圧部材９、ハブ１２の構成材料としては、特に限定されないが、例えば、ポリ塩化ビニル、ポリエチレン、ポリプロピレン、環状ポリオレフィン、ポリスチレン、ポリ−（４−メチルペンテン−１）、ポリカーボネート、アクリル樹脂、アクリルニトリル−ブタジエン−スチレン共重合体、ポリエチレンテレフタレート、ポリエチレンナフタレート等のポリエステル、ブタジエン−スチレン共重合体、ポリアミド（例えば、ナイロン６、ナイロン６・６、ナイロン６・１０、ナイロン１２）のような各種樹脂が挙げられるが、その中でも、成形が容易であり、かつ水蒸気透過性が低い点で、ポリプロピレン、環状ポリオレフィン、ポリエステルのような樹脂が好ましい。
【００７６】
図２に示すように、外筒４の軸上には、金属材料で構成された中空針５が配置されている。前述したように、この中空針５は、その基端部がハブ１２に支持されている。
【００７７】
中空針５は、管状をなし、その内腔が溶解用液Ｐ（液体）が通過可能な第１の流路５２として機能するものである。また、中空針５は、その先端が閉塞しており、壁部の先端部に開口した側孔（開口部）５３が形成されている。側孔５３は、第１の流路５２と連通している。
【００７８】
中空針５の先端には、鋭利な針先５１が形成されている。図５に示すように、この針先５１により、第１のコネクタ２の第１の封止部材６や後述する第２のコネクタ３の第２の封止部材１１を刺通することができる。図５に示すように、組立状態では、中空針５は、針先５１から側孔５３が形成されている部位までが第２のコネクタ３の内腔に露出する。これにより、中空針５の側孔５３を介して、中空針５の内腔と第２のコネクタ３の内腔とが連通する、すなわち、第１のコネクタ２の第１の流路５２と後述する第２のコネクタ３の第２の流路１０２とが連通する。
【００７９】
図２に示すように、内筒７の内側には、第１の封止部材６が設置されている。この第１の封止部材６は、内筒７の内腔部を封止するものであり、円板状をなし、その厚さ方向が内筒７の軸方向に一致するように配置されている。これにより、第１の封止部材６は、中空針５の軸方向に沿って基端側に向かって移動する際に、中空針５の針先５１によって容易かつ確実に刺通される。
【００８０】
また、第１の封止部材６は、その中心部の厚さが縁部の厚さよりも厚い弾性体である。この中心部は、中空針５で刺通される第１の刺通部６１となっている。また、第１の封止部材６の縁部は、前述したように、内筒７の一対の板状部７３１、７３２により挟持されている。これにより、第１の封止部材６は、内筒７に対し確実に固定され、内筒７とともに移動することができる。
【００８１】
また、コネクタ組立体１では、第１の封止部材６（第１の刺通部６１）と第２の封止部材１１（第２の刺通部１１１）の中空針５により刺通された部分と、該部分に接する中空針５の外周部５４との摺動抵抗、および摺動部材７４の縮径部７４１と該部分に接する中空針５の外周部５４との摺動抵抗の合計が、コイルバネ８の付勢力よりも小さくなるように設定されている。これにより、第１のコネクタ２が図５に示す第３の状態にあるストッパ１７を解除した際に、コイルバネ８の付勢力によって第１のコネクタ２が図４に示す第２の状態に戻ることができる。なお、これらの力同士の大小関係の設定方法としては、特に限定されないが、例えば、第１の封止部材６、第２の封止部材１１や摺動部材７４の構成材料の選択、第１の刺通部６１や第２の刺通部１１１の厚さの調整、コイルバネ８の構成材料の選択、線径、巻き数の調整、中空針５の外径の調整等を行う方法が挙げられる。
【００８２】
図２に示すように、第１の刺通部６１は、外力を付与しない自然状態で、その先端面６１２が隆起している。そして、図３に示すように、第１の封止部材６と第２の封止部材１１とが密着した密着状態では、隆起していた先端面６１２が潰れる。これにより、密着状態がより確実となり、よって、第１の封止部材６と第２の封止部材１１との境界部での液密性を確保することができる。これにより、組立状態での液体の移送を安全かつ確実に行なうことができる。
【００８３】
なお、第１の封止部材６の構成材料としては、特に限定されず、例えば、前述した摺動部材７４の構成材料として例示したものと同様のものを用いることができる。
【００８４】
図２に示すように、外筒４内には、ステンレス鋼等のような金属材料で構成されたコイルバネ８が設置されている。コイルバネ８は、圧縮状態で、その先端が内筒７の板状部７３２に当接し、基端がハブ１２の底部１２８に当接している。これにより、ハブ１２を基端方向に向かって確実に付勢することができ、また、内筒７を介して、第１の封止部材６を先端方向に向かって確実に付勢することができる。このコイルバネ８には、中空針５が挿通している。すなわち、コイルバネ８は、中空針５の回りに、その中空針５に沿って配置されている。なお、付勢手段としては、コイルバネ８の他に、蛇腹状の板バネや、円筒状や蛇腹状のゴムからなるものであってもよい。
【００８５】
図１、図２に示すように、第２のコネクタ３は、筒状の第２のコネクタ本体１０と、第２のコネクタ本体１０に設けられた第２の封止部材１１とを有している。
【００８６】
第２のコネクタ本体１０は、円筒状をなす部材である。この第２のコネクタ本体１０の内腔は、液体が通過可能な第２の流路１０２として機能する。図１７に示すように、第２のコネクタ本体１０は、その先端部（第２の接続部）が先細り形状をなす瓶針部１０３となっており、バッグ５０のゴム栓５０５を刺通することができる。また、瓶針部１０３には、側孔（図示せず）が形成されている。瓶針部１０３をバッグ５０のゴム栓５０５に刺通し、当該側孔をバッグ５０内に露出させると、バッグ５０内と第２の流路１０２とが連通する。これにより、第２の流路１０２を通過した液体をバッグ５０内に供給することができる。
【００８７】
また、前述したように、第２のコネクタ本体１０の途中には、第１のコネクタ３の第１の係合部９１と係合する係合部１０５ａ、１０５ｂが形成されている。
【００８８】
また、第２のコネクタ本体１０の外周部には、その長手方向に沿った複数（本実施形態では４本）のリブ１０４が形成されている。これらのリブ１０４は、第２のコネクタ本体１０の外周部の周方向に沿って等間隔に配置されている。これにより、第２のコネクタ本体１０を補強することできる。
【００８９】
第２のコネクタ本体１０は、その先端部に、第２の封止部材１１が設置される封止部材設置部１０６を有している。封止部材設置部１０６は、第２の封止部材１１を上下方向から挟持する円環状の一対の板状部１０６ａ、１０６ｂで構成されている。
【００９０】
なお、第２のコネクタ本体１０の構成材料としては、特に限定されないが、例えば、第１のコネクタ２の外筒４、内筒７、挟圧部材９、ハブ１２についての説明で挙げたような材料を用いることができる。
【００９１】
図２に示すように、第２の封止部材１１は、第２のコネクタ本体１０の内腔部を封止するものであり、円板状をなし、その厚さ方向が第２のコネクタ本体１０の軸方向に一致するように配置されている。これにより、第２の封止部材１１は、密着した第１の封止部材６とともに、中空針５の針先５１によって容易かつ確実に刺通される。
【００９２】
また、第２の封止部材１１は、その中心部の厚さが縁部の厚さよりも厚い弾性体である。この中心部は、中空針５で刺通される第２の刺通部１１１となっている。また、第２の封止部材１１の縁部は、前述したように、第２のコネクタ本体１０の一対の板状部１０６ａ、１０６ｂにより挟持されている。これにより、第２の封止部材１１は、第２のコネクタ本体１０に対し確実に固定される。
【００９３】
図２に示すように、第２の刺通部１１１は、外力を付与しない自然状態で、その基端面１１２が隆起している。そして、図３に示すように、第１の封止部材６と第２の封止部材１１とが密着した密着状態では、隆起していた基端面１１２が第１の封止部材６の先端面６１２と同様に潰れる。これにより、密着状態がより確実となり、よって、第１の封止部材６と第２の封止部材１１との境界部での液密性を確保することができる。
【００９４】
なお、第２の封止部材１１の構成材料としては、特に限定されず、例えば、前述した摺動部材７４の構成材料として例示したものと同様のものを用いることができる。
【００９５】
次に、コネクタ組立体１を使用する際の動作状態について説明する。
［１］  分解状態から組立状態となる過程（第１のコネクタ２をシリンジ２０に装着後は、図２（図６）→図３（図７）→図４（図８）→図５（図９）の順に図面参照）
まず、第１のコネクタ２にシリンジ２０を装着し、第２のコネクタ３をバッグ５０に装着する。
【００９６】
図１２に示すように、第１のコネクタ２のハブ１２は、コイルバネ８の付勢力（弾性力）により、第１の位置に位置している。
【００９７】
第１のコネクタ２にシリンジ２０を装着する際は、第１のコネクタ２のハブ１２のハブ部１２２の基端部にシリンジ２０の口部２０２を挿入し、コイルバネ８の付勢力に抗して、図１３に示すように、ハブ１２を先端方向に移動させて第２の位置に位置させる。これにより、ハブ１２の螺合が締まる方向の回転が阻止される。そして、シリンジ２０とともにロックアダプタ２０３を回転させ、ハブ部１２２の突起１２３に、ロックアダプタ２０３を螺合させる。これにより、ハブ部１２２とシリンジ２０の口部２０２とが接続され、突起１２３とロックアダプタ２０３とが螺合することにより、ハブ１２にシリンジ２０が保持される。なお、ハブ１２は、コイルバネ８の付勢力により、第１の位置に移動する。
【００９８】
前述したように、ハブ部１２２にシリンジ２０が装着された後は、ハブ１２を第１の位置と第２の位置とのいずれに位置させても、ハブ部１２２からシリンジ２０を取り外すことはできない。これにより、ハブ部１２２からのシリンジ２０の不本意な離脱を防止することができ、特に、抗がん剤、免疫抑制剤等、医療従事者が誤って触れると危険な薬剤が、医療従事者に付着してしまうことを防止することができる。
【００９９】
また、ハブ部１２２が第１の位置に位置しているときは、ハブ１２の正方向および逆方向のいずれの回転も可能となるので、ハブ部１２２にシリンジ２０が装着された状態で、そのハブ１２とともにシリンジ２０を回転させることにより、シリンジ２０に設けられた目盛を容易に見ることができる。
【０１００】
次に、図２に示すように、分解状態の第２のコネクタ３をその基端側から、第１のコネクタ２の先端部に向かって接近させる。分解状態では、第１のコネクタ２は、第１の状態（内筒７の突部７６が外筒４の溝部４８の横溝４８１に位置した状態）となっている（図６参照）。また、第１の封止部材６は、中空針５よりも先端側に位置している。
【０１０１】
図３、図７に示すように、第２のコネクタ３を第１のコネクタ２内に挿入していくと、まず、第１のコネクタ２の第１の封止部材６の先端面６１２と、第２のコネクタ３の第２の封止部材１１の基端面１１２とが当接し、弾性変形して密着する。このとき、前述したように、第１のコネクタ２が第１の状態となっているため（図７参照）、第１のコネクタ２に対する第２のコネクタ３の挿入操作が一旦規制される。
【０１０２】
また、図３に示すように、ストッパ１７が作動して（第１のコネクタ２の挟圧部材９が第２のコネクタ３の係合部１０５ａに係合して）、第２のコネクタ３が再び先端方向へ逆戻りし、第１のコネクタ２から離脱するのが防止される。
【０１０３】
次に、図８に示すように、第１のコネクタ２の内筒７を図中の矢印方向に回転操作すると、第１のコネクタ２は、第２の状態（内筒７の突部７６が外筒４の溝部４８の交差部４８３に位置した状態）となる。これにより、前述したように、挿入操作の規制が解除されて、当該挿入操作を再開することができる。
【０１０４】
また、ストッパ１７、ロック手段１９により、第１のコネクタ２と第２のコネクタ３との組立状態が維持されている。これにより、第１のコネクタ２から第２のコネクタ３を抜去する、すなわち、組立状態のコネクタ組立体１が不本意に分解するのを確実に防止することができる。これにより、コネクタ組立体１を介して、溶解用液Ｐを安全に移送することができる。
【０１０５】
また、組立状態では、第１のコネクタ２の第１の封止部材６と第２のコネクタ３の第２の封止部材１１との密着が維持されている（図５参照）。これにより、第１の流路５２および第２の流路１０２の特に接合部付近での液密性（気密性）を確実に維持することができ、これらの流路を通過する溶解用液Ｐが組立状態のコネクタ組立体１から漏出するのが確実に防止される。
【０１０６】
また、図５に示す状態では、内筒７の基端７８がハブ１２の先端１２９に当接する。これにより、第２のコネクタ３の挿入限界が規制される。
【０１０７】
［２］  組立状態から再度分解状態となる過程（図５（図９）→図４（図８）→図３（図７）→図２（図６）の順に図面参照）
図５、図９に示す状態から挟圧部材９を操作して、第１のコネクタ２と第２のコネクタとのロック状態を解除する。これにより、第１のコネクタ２から第２のコネクタを抜去する抜去操作を開始することができる。
【０１０８】
図４、図８に示すように、抜去操作を開始すると、前記とは逆に、第２のコネクタ３が先端方向に移動する。このとき、第１の封止部材６には、コイルバネ８による付勢力が内筒７を介して作用しているため、第１の封止部材６は、第２のコネクタ３の移動に追従することができる。これにより、抜去操作を行なうときにも、第１の封止部材６と第２の封止部材１１との密着状態が維持される。
【０１０９】
そして、第１のコネクタ２が第２の状態となったときに、前述したように、抜去操作が一旦規制される（図８参照）。このとき、図４に示すように、中空針５は、側孔５３が第２の封止部材１１（図示の構成では第２の封止部材１１よりもさらに基端側にある第１の封止部材６）よりも基端側に位置している。なお、第１の封止部材６および第２の封止部材１１は、それぞれ、中空針５で刺通された部分が自己閉塞性により閉じる。
【０１１０】
次に、内筒７を前記と反対方向に回転操作すると、第１のコネクタ２は、図７に示す第１の状態となる。このとき、図３に示すように、ロック手段１９による内筒７と第２のコネクタ３とのロック状態が解除されて、第２のコネクタ３のみの先端方向への移動が可能となる。これにより、第２のコネクタ３の抜去操作を再開することができる。
【０１１１】
図２、図６に示すように、抜去操作を再開すると、密着状態であった第１の刺通部６１と第２の刺通部１１１とが離間し、組立状態であったコネクタ組立体１を再度分解状態とすることができる。その後、第１のコネクタ２をシリンジ２０から取り外し、当該シリンジ２０から液剤を投与することができる。
【０１１２】
このように、コネクタ組立体１では、第１のコネクタ２から第２のコネクタ３を抜去する際、中空針５が第２の封止部材１１から抜けきらないうちに、第１の封止部材６と第２の封止部材１１とが離間するのを防止することができる。これにより、組立状態のコネクタ組立体１を分解している最中でも、第１の流路５２および第２の流路１０２の液密性が保持され、よって、これらの流路中の液剤（液体）がコネクタ組立体１から漏出するのが確実に防止される。これにより、コネクタ組立体１を用いて、液剤の移送を安全に行うことができる。
【０１１３】
以上、本発明のコネクタおよびコネクタ組立体を図示の実施形態について説明したが、本発明は、これに限定されるものではなく、コネクタおよびコネクタ組立体を構成する各部は、同様の機能を発揮し得る任意の構成のものと置換することができる。また、任意の構成物が付加されていてもよい。
【０１１４】
また、継脱機構は、外筒の内周部に形成されたラチェット歯と、ハブのフランジに形成された爪とで構成されたものであるが、これに限定されず、例えば、外筒の内周部に形成された爪と、ハブのフランジに形成されたラチェット歯とで構成されたものであってもよい。
【０１１５】
また、操作規制手段は、外筒の壁部に形成された溝部と、内筒の壁部に突出形成され、溝部に挿入される突部とで構成されたものであるが、これに限定されず、例えば、内筒の壁部に形成された溝部と、外筒の壁部に突出形成され、溝部に挿入される突部とで構成されたものであってもよい。
【０１１６】
また、第１の刺通部および第２の刺通部は、それぞれ、その端面が隆起しているが、これに限定されず、例えば、それらの刺通部のうちの一方の端面のみが隆起していてもよい。
また、本発明は、コイルバネ８を有していないものであってもよい。
【産業上の利用可能性】
【０１１７】
本発明によれば、継脱機構を有しているので、コネクタに接続された医療器具は、容易に離脱することがない。【０１１８】
また、継脱機構により、医療器具は、コネクタに接続された状態でそのコネクタに対して回転することができ、これにより、例えば、溶解用液に薬剤を溶解する作業中に、医療器具に設けられた目盛を容易に見ることができる。したがって産業上の利用可能性を有する。
【図１】
0005875974.tif 000002
【図２】
0005875974.tif 000003
【図３】
0005875974.tif 000004
【図４】
0005875974.tif 000005
【図５】
0005875974.tif 000006
【図６】
0005875974.tif 000007
【図７】
0005875974.tif 000008
【図８】
0005875974.tif 000009
【図９】
0005875974.tif 000010
【図１０】
0005875974.tif 000011
【図１１】
0005875974.tif 000012
【図１２】
0005875974.tif 000013
【図１３】
0005875974.tif 000014
【図１４】
0005875974.tif 000015
【図１５】
0005875974.tif 000016
【図１６】
0005875974.tif 000017
【図１７】
0005875974.tif 000018